(57)【要約】【課題】  配管工事や資材の移動等の他の作業工程によって制約を受けることが少なく、短期間で施工できる内装構築方法及び内装ユニット構造を提供すること。【解決手段】  躯体５の室内空間４に内装として床、壁、及び天井を設ける内装構築方法であって、前記壁が立設される近傍の躯体床５ａ上に壁際床パネル部材６を設置し、壁際床パネル部材６上に間隔を置いて所定の高さのコーナー部壁パネル部材７，・・・を複数配置し、その上端面で位置決めをしてコーナー部壁パネル部材７，７間に天井側レール部材１０を架け渡すことによって内装フレーム体３５を構築する。  そして、内装フレーム体３５によって形成されなかった部分に、中間床パネル部材１３と、天井側レール部材１０に沿ってコーナー部壁パネル部材７，７間に配置する中間壁パネル部材１１と、天井側レール部材１０により支持される天井パネル部材２０とを配置することによって内装を構築する。【選択図】  図１
2006016897.tif 000002
【特許請求の範囲】
【請求項１】
下地構築物の内部に内装として床、壁、及び天井を設ける内装構築方法であって、前記
壁が立設される近傍の前記下地構築物の下地床に壁際床パネル部材を設置し、該壁際床パ
ネル部材上に間隔を置いて所定の高さの壁パネル部材を複数配置し、該壁パネル部材の上
端面で位置決めをして前記壁パネル部材間に天井側レール部材を架け渡すことによって内
装フレーム体を構築し、該内装フレーム体によって形成されなかった前記内装を、前記床
を形成する中間床パネル部材と、前記天井側レール部材に沿って前記壁パネル部材間に配
置する中間壁パネル部材と、前記天井側レール部材により支持される天井パネル部材とに
よって構築することを特徴とする内装構築方法。
【請求項２】
前記壁際床パネル部材上に床側レール部材を設け、該床側レール部材上に前記壁パネル
部材を配置することを特徴とする請求項１に記載の内装構築方法。
【請求項３】
前記壁際床パネル部材に複数の端部が発生する場合に、前記下地構築物の下地壁面に固
定される位置決めレール部材によって前記端部間を連結することを特徴とする請求項１ま
たは請求項２に記載の内装構築方法。
【請求項４】
下地構築物の内部に内装として床、壁、及び天井を設ける内装構築方法であって、前記
壁が立設される前記下地構築物の下地壁面に位置決めレール部材を固定し、該位置決めレ
ール部材上に間隔を置いて所定の高さの壁パネル部材を複数配置し、該壁パネル部材の上
端面で位置決めをして前記壁パネル部材間に天井側レール部材を架け渡すことによって内
装フレーム体を構築し、該内装フレーム体によって形成されなかった前記内装を、前記床
を形成する床パネル部材と、前記天井側レール部材に沿って前記壁パネル部材間に配置す
る中間壁パネル部材と、前記天井側レール部材により支持される天井パネル部材とによっ
て構築することを特徴とする内装構築方法。
【請求項５】
前記天井パネル部材は、前記天井側レール部材に載置して前記内装フレーム体を形成す
る壁際天井パネル部材と、該壁際天井パネル部材を介して前記天井側レール部材により支
持される中間天井パネル部材とを有することを特徴とする請求項１乃至請求項４のいずれ
かに記載の内装構築方法。
【請求項６】
前記壁際天井パネル部材は、前記下地構築物の下地梁の外形に合わせて成形したことを
特徴とする請求項５に記載の内装構築方法。
【請求項７】
前記壁際床パネル部材の配置された平面視形状が、略ロ字型、略Ｌ字型、略ニ字型、略
コ字型若しくは略Ｉ字型であることを特徴とする請求項１乃至請求項３のいずれかに記載
の内装構築方法。
【請求項８】
複数配置する前記壁パネル部材の少なくとも一つの配置された平面視形状が、略Ｌ字型
であることを特徴とする請求項１乃至請求項７のいずれかに記載の内装構築方法。
【請求項９】
複数配置する前記壁パネル部材の少なくとも一つを、前記下地構築物の下地柱の外形に
合わせて成形したことを特徴とする請求項１乃至請求項８のいずれかに記載の内装構築方
法。
【請求項１０】
前記壁パネル部材若しくは前記中間壁パネル部材の少なくとも一つが、開口部を設けた
開口壁パネル部材であることを特徴とする請求項１乃至請求項９のいずれかに記載の内装
構築方法。
【請求項１１】
前記中間壁パネル部材若しくは前記中間床パネル部材の少なくとも一方には、決められ
た一定寸法の規格部材のみが使用されるように、前記壁パネル部材の幅若しくは前記壁際
床パネル部材の幅を決定することを特徴とする請求項１乃至請求項１０のいずれかに記載
の内装構築方法。
【請求項１２】
前記中間天井パネル部材には、決められた一定寸法の規格部材のみが使用されるように
、前記壁際天井パネル部材の幅を決定することを特徴とする請求項１乃至請求項１１のい
ずれかに記載の内装構築方法。
【請求項１３】
前記下地構築物の内部を複数の領域に分け、それぞれの領域毎に請求項１乃至請求項１
２のいずれかに記載の内装構築方法を、順次または同時に実施することを特徴とする内装
構築方法。
【請求項１４】
前記壁際床パネル部材と、前記壁パネル部材と、前記天井側レール部材とによって内装
フレーム体ユニットを製作し、前記下地構築物の内部に複数の前記内装フレーム体ユニッ
トを並設しておこなうことを特徴とする請求項１乃至請求項３のいずれかに記載の内装構
築方法によって構築された内装ユニット構造。
【発明の詳細な説明】
【技術分野】
【０００１】
本発明は、構造物の躯体などの下地構築物の内部に、内装として床、壁、及び天井を設
ける内装構築方法及び内装ユニット構造に関するものである。
【背景技術】
【０００２】
従来、図１３に示すようにコンクリートで構築した躯体５の内側の室内空間４に、床パ
ネル部材１、壁パネル部材２、天井パネル部材３を設置して内装を構築する方法が知られ
ている（特許文献１など参照）。
【０００３】
この方法では、床パネル部材１，・・・を躯体床５ａ上に配置し、その床パネル部材１
の外縁に壁パネル部材２，・・・を立設する。そして、壁パネル部材２，・・・の上端面
に天井パネル部材３，・・・を載置する。
【０００４】
また、古くなった内装をリフォームする場合に、下地となるリフォーム前の内装の内寸
法を測定し、その大きさに合わせて部材を現場で切断加工し、新たな内装をリフォーム前
の内装の前面に構築する方法も知られている。
【特許文献１】特開平１１−８１４７１号公報（図１，２、００１３段落及び００１４段落）
【発明の開示】
【発明が解決しようとする課題】
【０００５】
しかしながら、前記した従来の床パネル部材１を躯体床５ａ上に配置する方法では、最
初に躯体床５ａ上に床パネル部材１を敷設するので、躯体床５ａ上に仮置きした内装工事
に使用する資材を移動する作業が必要となり、工数が増加する。特に、施工の初期段階で
は、仮置きされている資材の量が多く、移動する手間がかかる。
【０００６】
また、躯体床５ａと床パネル部材１の間には、給排水管や電線等を配設するが、これら
の配線、配管工事は専門の作業員しか行なうことが出来ず、これらの工事の完了を待って
床パネル部材１を配置するのでは、待ち時間が発生して工期が長くなるおそれがある。
【０００７】
さらに、躯体壁５ｂと壁パネル部材２との間の配線工事も、壁パネル部材２を設置する
前に行なわなければならず、施工手順の制約を受ける。
【０００８】
また、前記した従来の内装の内寸法に合わせて各部材を切断する方法では、部材ごとに
寸法取りを行なわなければならず、施工手間がかかる。
【０００９】
さらに、コンクリートによって構築された躯体５や既設の内装の表面は、不陸があって
平らでない場合も多いので、前記パネル部材１，２，３を直接取り付けるのが難しい。
【００１０】
そこで、本発明は、配管工事や資材の移動等の他の作業工程によって制約を受けること
が少なく、短期間で施工できる内装構築方法及び内装ユニット構造を提供することを目的
としている。
【課題を解決するための手段】
【００１１】
前記目的を達成するために、請求項１の発明は、下地構築物の内部に内装として床、壁
、及び天井を設ける内装構築方法であって、前記壁が立設される近傍の前記下地構築物の
下地床に壁際床パネル部材を設置し、該壁際床パネル部材上に間隔を置いて所定の高さの
壁パネル部材を複数配置し、該壁パネル部材の上端面で位置決めをして前記壁パネル部材
間に天井側レール部材を架け渡すことによって内装フレーム体を構築し、該内装フレーム
体によって形成されなかった前記内装を、前記床を形成する中間床パネル部材と、前記天
井側レール部材に沿って前記壁パネル部材間に配置する中間壁パネル部材と、前記天井側
レール部材により支持される天井パネル部材とによって構築することを特徴とする内装構
築方法である。
【００１２】
また、請求項２に記載された方法は、前記壁際床パネル部材上に床側レール部材を設け
、該床側レール部材上に前記壁パネル部材を配置する請求項１に記載の内装構築方法であ
ることを特徴とする。
【００１３】
さらに、請求項３に記載された方法は、前記壁際床パネル部材に複数の端部が発生する
場合に、前記下地構築物の下地壁面に固定される位置決めレール部材によって前記端部間
を連結する請求項１または請求項２に記載の内装構築方法であることを特徴とする。
【００１４】
また、請求項４に記載された発明は、下地構築物の内部に内装として床、壁、及び天井
を設ける内装構築方法であって、前記壁が立設される前記下地構築物の下地壁面に位置決
めレール部材を固定し、該位置決めレール部材上に間隔を置いて所定の高さの壁パネル部
材を複数配置し、該壁パネル部材の上端面で位置決めをして前記壁パネル部材間に天井側
レール部材を架け渡すことによって内装フレーム体を構築し、該内装フレーム体によって
形成されなかった前記内装を、前記床を形成する床パネル部材と、前記天井側レール部材
に沿って前記壁パネル部材間に配置する中間壁パネル部材と、前記天井側レール部材によ
り支持される天井パネル部材とによって構築することを特徴とする内装構築方法である。
【００１５】
そして、請求項５に記載された方法は、前記天井パネル部材は、前記天井側レール部材
に載置して前記内装フレーム体を形成する壁際天井パネル部材と、該壁際天井パネル部材
を介して前記天井側レール部材により支持される中間天井パネル部材とを有する請求項１
乃至請求項４のいずれかに記載の内装構築方法であることを特徴とする。
【００１６】
さらに、請求項６に記載された方法は、前記壁際天井パネル部材は、前記下地構築物の
下地梁の外形に合わせて成形した請求項５に記載の内装構築方法であることを特徴とする
。
【００１７】
また、請求項７に記載された方法は、前記壁際床パネル部材の配置された平面視形状が
、略ロ字型、略Ｌ字型、略ニ字型、略コ字型若しくは略Ｉ字型である請求項１乃至請求項
３のいずれかに記載の内装構築方法であることを特徴とする。
【００１８】
そして、請求項８に記載された方法は、複数配置する前記壁パネル部材の少なくとも一
つの配置された平面視形状が、略Ｌ字型である請求項１乃至請求項７のいずれかに記載の
内装構築方法であることを特徴とする。
【００１９】
さらに、請求項９に記載された方法は、複数配置する前記壁パネル部材の少なくとも一
つを、前記下地構築物の下地柱の外形に合わせて成形した請求項１乃至請求項８のいずれ
かに記載の内装構築方法であることを特徴とする。
【００２０】
また、請求項１０に記載された方法は、前記壁パネル部材若しくは前記中間壁パネル部
材の少なくとも一つが、開口部を設けた開口壁パネル部材である請求項１乃至請求項９の
いずれかに記載の内装構築方法であることを特徴とする。
【００２１】
そして、請求項１１に記載された方法は、前記中間壁パネル部材若しくは前記中間床パ
ネル部材の少なくとも一方には、決められた一定寸法の規格部材のみが使用されるように
、前記壁パネル部材の幅若しくは前記壁際床パネル部材の幅を決定する請求項１乃至請求
項１０のいずれかに記載の内装構築方法であることを特徴とする。
【００２２】
さらに、請求項１２に記載された方法は、前記中間天井パネル部材には、決められた一
定寸法の規格部材のみが使用されるように、前記壁際天井パネル部材の幅を決定する請求
項１乃至請求項１１のいずれかに記載の内装構築方法であることを特徴とする。
【００２３】
また、請求項１３に記載された方法は、前記下地構築物の内部を複数の領域に分け、そ
れぞれの領域毎に請求項１乃至請求項１２のいずれかに記載の内装構築方法を、順次また
は同時に実施する内装構築方法であることを特徴とする。
【００２４】
そして、請求項１４の発明は、前記壁際床パネル部材と、前記壁パネル部材と、前記天
井側レール部材とによって内装フレーム体ユニットを製作し、前記下地構築物の内部に複
数の前記内装フレーム体ユニットを並設しておこなう請求項１乃至請求項３のいずれかに
記載の内装構築方法によって構築された内装ユニット構造であることを特徴とする。
【発明の効果】
【００２５】
このように構成された請求項１の発明は、内装として立設される前記壁の近傍に壁際床
パネル部材を設置し、該壁際床パネル部材上に間隔を置いて前記壁パネル部材を複数配置
し、該壁パネル部材間に天井側レール部材を架け渡すことによって内装フレーム体を構築
する。
【００２６】
そして、前記内装フレーム体によって形成されなかった残りの内装を、前記内装フレー
ム体によって位置決めしながら構築していく。
【００２７】
このため、配管工事等が完了していなくとも前記内装フレーム体を構築する作業に取り
掛かることができ、工期の短縮化が図れる。
【００２８】
また、前記内装フレーム体以外の内装部分は、並行作業によって構築することも可能で
あるため、更なる工期の短縮化に繋がる。
【００２９】
さらに、前記内装フレーム体によって位置決めが出来るので、残りの内装部分の構築が
簡単である。
【００３０】
また、請求項２に記載された方法では、前記壁際床パネル部材上に設けた前記床側レー
ル部材上に前記壁パネル部材を配置する。
【００３１】
このため、前記壁パネル部材の取り付けを床側レール部材に沿っておこなうことができ
、壁パネル部材毎に位置決め測定を行なう必要がない。
【００３２】
そして、請求項３に記載された方法では、前記壁際床パネル部材に複数の端部が発生す
る場合に、前記端部間を前記位置決めレール部材によって連結する。
【００３３】
このため、前記壁際床パネル部材を閉じた閉構造とすることができ、前記内装フレーム
体の剛性を高めることができる。
【００３４】
また、請求項４に記載された発明は、内装として立設される前記壁の下端が配置される
位置の前記下地壁面に前記位置決めレール部材を設置し、該位置決めレール部材上に間隔
を置いて前記壁パネル部材を複数配置し、該壁パネル部材間に天井側レール部材を架け渡
すことによって内装フレーム体を構築する。
【００３５】
このため、前記壁パネル部材近傍の配管工事等が完了していなくとも、前記内装フレー
ム体を構築する作業に取り掛かることができ、工期の短縮化が図れる。
【００３６】
また、前記内装フレーム体以外の内装部分は、並行作業によって構築することも可能で
あるため、更なる工期の短縮化に繋がる。
【００３７】
さらに、前記内装フレーム体によって位置決めが出来るので、残りの内装部分の構築が
簡単である。
【００３８】
そして、請求項５に記載された方法では、前記天井パネル部材のうち、前記天井側レー
ル部材に載置する前記壁際天井パネル部材を前記内装フレーム体として配置し、その他の
前記中間天井パネル部材を配置する部分は、前記内装フレーム体を構築した後に形成すれ
ばよい。
【００３９】
このため、前記天井パネル部材を効率的に配置することができる。また、前記壁際天井
パネル部材によって前記内装フレーム体の剛性を高めることができる。
【００４０】
さらに、請求項６に記載された方法では、前記壁際天井パネル部材を前記下地構築物の
下地梁の外形に合わせて成形する。
【００４１】
このため、現場で前記下地梁の寸法を測定して部材を切断加工する必要が無く、現場で
の構築作業を効率よくおこなうことができる。
【００４２】
また、請求項７に記載された方法では、前記壁際床パネル部材の前記平面視形状が、略
ロ字型、略Ｌ字型、略ニ字型、略コ字型若しくは略Ｉ字型となるように成形する。
【００４３】
このため、前記壁際床パネル部材を部品化することができ、前記下地構築物の内部空間
の形状に合わせた部品の組み合わせによって内装を構築することが容易にできる。
【００４４】
そして、請求項８に記載された方法では、少なくとも一つの前記壁パネル部材の前記平
面視形状を略Ｌ字型に成形する。
【００４５】
このため、前記壁パネル部材を自立させることができ、作業中に支える必要がなくなる
ので、最少人員で前記内装フレーム体を構築することができる。
【００４６】
さらに、請求項９に記載された方法では、前記壁パネル部材を前記下地構築物の下地柱
の外形に合わせて成形する。
【００４７】
このため、現場で前記下地柱の寸法を測定して部材を切断加工する必要が無く、現場で
の構築作業を効率よくおこなうことができる。
【００４８】
また、請求項１０に記載された方法では、前記壁パネル部材若しくは前記中間壁パネル
部材の少なくとも一つを、開口部を設けた開口壁パネル部材とする。
【００４９】
このため、前記壁パネル部材を設置するだけで、窓や入口などを形成することができる
。
【００５０】
そして、請求項１１に記載された方法では、前記中間壁パネル部材若しくは前記中間床
パネル部材に、決められた一定寸法の規格部材を使用するために、前記壁パネル部材の幅
若しくは前記壁際床パネル部材の幅を調整する。
【００５１】
このため、前記内装フレーム体を構築した後の内装構築作業を標準化することができ、
施工性が向上する。また、部分的に汚れ、劣化、又は破損が生じた場合の交換や、一部の
材質を変えて外観に変化をもたせること等が容易に行なえる。
【００５２】
さらに、請求項１２に記載された方法では、前記中間天井パネル部材に、決められた一
定寸法の規格部材を使用するために、前記壁際天井パネル部材の幅を調整する。
【００５３】
このため、前記内装フレーム体を構築した後の内装構築作業を標準化することができ、
施工性が向上する。また、部分的に汚れ、劣化、又は破損が生じた場合の交換や、一部の
材質を変えて外観に変化をもたせること等が容易に行なえる。
【００５４】
また、請求項１３に記載された方法では、前記下地構築物の内部空間を複数の領域に分
けて、領域毎に内装を順次または同時に構築する。
【００５５】
このため、様々な形状及び大きさの前記内部空間に容易に内装を構築することができる
。また、個別の前記壁際床パネル部材の大きさ又は形状に限定されること無く、大きな内
装空間を形成することもできる。
【００５６】
そして、請求項１４記載された発明は、前記壁際床パネル部材と前記壁パネル部材と前
記天井側レール部材とによって内装フレーム体ユニットを製作し、該内装フレーム体ユニ
ットを前記室内空間に複数並べることによって内装を構築する。
【００５７】
このため、現地での作業を削減できるので、短期間で内装を構築することができる。
【発明を実施するための最良の形態】
【００５８】
以下、本発明の最良の実施の形態について図面を参照して説明する。
【００５９】
なお、前記従来例と同一乃至均等な部分については、同一符号を付して説明する。
【００６０】
図１乃至図３は、本実施の形態の内装構築方法によって形成される内装部の構成を示し
たものである。
【００６１】
まず、構成から説明すると、このような本実施の形態では、構造物としての建物５０が
、主にコンクリートで構築される躯体床５ａ、躯体壁５ｂ及び躯体天井５ｃによって躯体
５として形成され、この下地構築物としての躯体５は内部空間として室内空間４を有する
。
【００６２】
この室内空間４内には、内装部の枠体となる内装フレーム体３５と、その内装フレーム
体３５によって内装が形成されなかった部分に取り付ける中間壁パネル部材１１，・・・
、中間床パネル部材１３，・・・、及び中間天井パネル部材１２，・・・とによって前記
内装部が形成される。
【００６３】
さらに、前記内装フレーム体３５は、躯体床５ａ上に先行して配置される壁際床パネル
部材６と、該壁際床パネル部材６の外周縁上に固定される床側レール部材９，・・・と、
該床側レール部材９，・・・上に間隔を置いて複数配置される壁パネル部材としてのコー
ナー部壁パネル部材７，・・・と、該コーナー部壁パネル部材７，７間に架け渡される天
井側レール部材１０，・・・と、該天井側レール部材１０，・・・に載置される壁際天井
パネル部材８と、によって形成される。
【００６４】
そして、前記壁際床パネル部材６は、後工程で前記コーナー部壁パネル部材７，・・・
が配置される予定位置近傍の躯体床５ａ上にのみ設けられる。
【００６５】
例えば、前記壁際床パネル部材６は、複数の矩形のパネル部材６ａ，・・・を組み合わ
せて、配置された平面視が略ロ字型になるように形成される。ここで、その外形は平面視
四角形の室内空間４の内形に合った大きさに形成されており、内部には平面視四角形の開
口部が形成されている。
【００６６】
この開口部が後述する中間床パネル部材１３の整数倍の大きさとなるように、前記パネ
ル部材６ａの幅を決定する。
【００６７】
また、前記壁際床パネル部材６は、木材の小片を加熱成形した集成材若しくは積層材等
のエンジニアリングウッド、又はパーチクルボードなどを使用して形成されている。
【００６８】
そして、前記壁際床パネル部材６は、図３に示すように、高さ調節手段を有する支持脚
部材１４，・・・上に、長尺角材からなる際根太１５，１５を介して載置される。
【００６９】
また、前記床側レール部材９，・・・は、断面が略Ｕ字型の長尺部材として、アルミ合
金、亜鉛メッキ鋼板等の金属製材料を加工して製作される。
【００７０】
そして、前記壁際床パネル部材６の外周縁を形成する四辺には、前記床側レール部材９
，９，９，９がそれぞれ配置される。
【００７１】
この前記床側レール部材９，・・・は、図３に示すように、固定ネジ１６を介して前記
壁際床パネル部材６に固定される。
【００７２】
さらに、本実施の形態のコーナー部壁パネル部材７は、前記床側レール部材９，・・・
上に間隔を置いて複数配置され、内装としての壁を形成する。
【００７３】
例えば、室内空間４の四隅に、それぞれ平面視略Ｌ字型のコーナー部壁パネル部材７，
７，７，７が配置される。
【００７４】
このコーナー部壁パネル部材７は、同一面上にない２枚の矩形のパネル部材７ａ，７ｂ
が一体に連設されることにより、自立する二面を有する部材に形成される（図１参照）。
【００７５】
このパネル部材７ａ，７ｂの幅は、前記コーナー部壁パネル部材７，７間の間隔が、そ
の間に配置される後述する中間壁パネル部材１１の整数倍となるように決定する。
【００７６】
また、前記コーナー部壁パネル部材７は、例えば表面が合板、石膏ボード、木材の小片
を加熱成形した集成材若しくは積層材等のエンジニアリングウッド、又はパーチクルボー
ド等の板材で形成され、背面には補強のための桟木が上下方向に延設される。さらに、複
数配置する前記コーナー部壁パネル部材７，・・・の高さはすべて同じ高さに形成する。
【００７７】
そして、前記コーナー部壁パネル部材７，７間には、それらの上端面で位置決めされた
天井側レール部材１０が架け渡される。この天井側レール部材１０は、断面が略逆Ｕ字型
の長尺部材として、アルミ合金、亜鉛メッキ鋼板等の金属製材料を加工して製作される。
【００７８】
さらに、前記天井側レール部材１０上には、前記壁際天井パネル部材８が配置される。
例えば、前記壁際天井パネル部材８は、複数の矩形のパネル部材８ｂ，・・・を組み合わ
せて、配置された平面視が略ロ字型に形成される。ここで、その外形は前記天井側レール
部材１０，１０，１０，１０によって形成された平面視四角形の形状に合わせて形成され
ており、内部には平面視四角形の開口部が形成されている。
【００７９】
この開口部が後述する中間天井パネル部材１２の整数倍の大きさとなるように、前記パ
ネル部材８ｂの幅を決定する。
【００８０】
この壁際天井パネル部材８は、例えば天井面を形成する部分が合板、石膏ボード、木材
の小片を加熱成形した集成材若しくは積層材等のエンジニアリングウッド、又はパーチク
ルボード等の板材で形成され、外周縁には木材などからなる縁部材８ａが配設される（図
３参照）。
【００８１】
以上の構成によって、本実施の形態の内装フレーム体３５は形成される。以下に、前記
内装フレーム体３５によって形成されなかった内装部を構成する部材について、図２及び
図３に基づいて説明する。
【００８２】
本実施の形態の中間壁パネル部材１１は、高さ及び幅を規定の寸法に合わせて矩形に成
形されている。この中間壁パネル部材１１は、表面が合板や石膏ボード等の板材で形成さ
れ、背面には補強のための桟木１１ｂが上下方向に延設されている（図３参照）。
【００８３】
また、中間天井パネル部材１２は、長さ及び幅を規定の寸法に合わせて矩形に成形され
ている。この中間壁パネル部材１２は、表面が合板や石膏ボード等の板材で形成されてい
る（図２参照）。
【００８４】
そして、前記中間天井パネル部材１２の長手方向の両端部には、図２及び図３に示すよ
うに、前記壁際天井パネル部材８に係止させる係止部１２ａ，１２ａが設けられている。
【００８５】
この係止部１２ａは、例えば前記中間天井パネル部材１２の上端面に、長手方向の両端
部から外側に突出するように形成される。
【００８６】
さらに、本実施の形態の中間床パネル部材１３は、長さ及び幅を規定の寸法に合わせて
平面視正方形に成形されている。この中間床パネル部材１３は、木材の小片を加熱成形し
た集成材若しくは積層材等のエンジニアリングウッド、又はパーチクルボードなどを使用
して形成されている。
【００８７】
そして、前記中間床パネル部材１３は、図３に示すように、高さ調節手段を有する支持
脚部材１４，・・・上に、平面視正方形の受台１７，１７を介して載置される。
【００８８】
次に、本実施の形態の内装構築方法及びその作用について説明する。
【００８９】
図４に内装構築方法の施工手順の概略を示す。
【００９０】
まず、図４（ａ）に示した壁際床パネル部材６の設置作業について、図３を参照しなが
ら説明する。
【００９１】
内装部を構築する躯体床５ａ上には、躯体壁５ｂに沿って図３の紙面奥行き方向に間隔
を置いて複数の支持脚部材１４，・・・を二列に配置する。この支持脚部材１４，・・・
は、その上に載置する壁際床パネル部材６が水平になるように前記高さ調節手段によって
高さを調節する。
【００９２】
そして、支持脚部材１４，・・・上に、図３の紙面奥行き方向に向けて際根太１５，１
５を架け渡す。さらに、二列の際根太１５，１５間に架け渡すように前記壁際床パネル部
材６を載置する。
【００９３】
この壁際床パネル部材６より上方の躯体壁５ｂの下縁及び上縁付近には、躯体壁５ｂに
沿って水平方向（図３の紙面奥行き方向）に胴縁１８，１９を取り付ける。
【００９４】
そして、この下側の胴縁１８の側面に前記床側レール部材９の側面を当接して配置し、
固定ネジ１６によって前記壁際床パネル部材６に固定する。
【００９５】
次に、図４（ｂ）のコーナー部壁パネル部材７，・・・の立設作業について説明する。
【００９６】
前記コーナー部壁パネル部材７，７，７，７は、壁際パネル部材６の四隅に配置する。
このコーナー部壁パネル部材７，・・・は、配置されたときの平面視が略Ｌ字型のため、
床側レール部材９，・・・上に載置するだけで自立させることができる。
【００９７】
そして、前記コーナー部壁パネル部材７，・・・の位置決めとして、垂直に立設されて
いるかどうかを確認し、傾いているときは調節する。その後、前記床側レール部材９に前
記コーナー部壁パネル部材７，・・・を固定する。
【００９８】
垂直に立設された前記コーナー部壁パネル部材７，・・・の上端面は、水平に形成され
ているので、この上端面で位置決めをして前記天井側レール部材１０，１０，１０，１０
を架け渡すと、水平に設置される。この天井側レール部材１０，・・・の両端部は、コー
ナー部壁パネル部材７，・・・の上端に固定する。
【００９９】
次に、図４（ｃ）の壁際天井パネル部材８の設置作業について説明する。
【０１００】
壁際天井パネル部材８は、水平に架設された天井側レール部材１０，・・・上に外周縁
が載置されるようにして設置する。そして、図３に示すように固定ネジ１６によって天井
側レール部材１０と壁際天井パネル部材８を接合する。
【０１０１】
以上の作業によって、内装フレーム体３５が構築される。
【０１０２】
最後に、図４（ｄ）の前記内装フレーム体３５によって形成されなかった内装部の構築
作業について説明する。
【０１０３】
前記内装フレーム体３５は、床部、壁部、及び天井部の中央部がすべて開口された状態
となっている。この開口部に、それぞれ中間壁パネル部材１１，・・・、中間天井パネル
部材１２，・・・、及び中間床パネル部材１３，・・・を設置する作業は、順次または同
時におこなうことができる。
【０１０４】
まず、前記中間壁パネル部材１１，・・・の設置作業について説明する。この中間壁パ
ネル部材１１，・・・は、すべて規定の高さに形成されており、前記天井側レール部材１
０と前記床側レール部材９との間に容易に取り付けることができる。
【０１０５】
また、前記コーナー部壁パネル部材７，７の側端面間の距離が、前記中間壁パネル部材
１１の規定の幅の整数倍でない場合は、最後に設置する中間壁パネル部材１１の幅を、余
った隙間の幅に合わせて切断して調整する。
【０１０６】
そして、前記中間壁パネル部材１１，・・・を、天井側レール部材１０及び床側レール
部材９に固定ネジ１６，・・・によって固定する（図３参照）。
【０１０７】
次に、前記中間天井パネル部材１２，・・・の設置作業について説明する。この中間天
井パネル部材１２，・・・は、両端に設けた前記係止部１２ａ，１２ａを、前記壁際天井
パネル部材８の内側縁に係止して設置する（図２，３参照）。
【０１０８】
この中間天井パネル部材１２は、前記壁際天井パネル部材８の開口部の大きさに合わせ
た規定の長さに形成されているので、開口部に嵌めこむだけで設置することができる。
【０１０９】
次に、前記中間床パネル部材１３の設置作業について、図２及び図３を参照しながら説
明する。
【０１１０】
前記中間床パネル部材１３は、躯体床５ａ上に間隔を置いて設置した前記支持脚部材１
４，・・・上に、前記受台１７，・・・を介して載置する。ここで、前記支持脚部材１４
，・・・は、中間床パネル部材１３によって形成される床面が水平になるように高さ調節
をし、受台１７は中間床パネル部材１３の角部が配置されるように設置する。
【０１１１】
以上に示したように、本実施の形態によれば、前記内装フレーム体３５を構築する際に
は、躯体床５ａ上の中央部は開口されているので、配管工事等が完了していなくとも構築
作業に取り掛かることができ、工期の短縮化が図れる。
【０１１２】
また、内装工事に使用する資材を躯体床５ａ上に載置したままで作業を進めることがで
きるので、資材の移動作業などによって工数が増加することがない。特に、工事初期段階
では、多くの資材が躯体床５ａ上に仮置きされているので、移動作業を省くことができる
効果は大きい。
【０１１３】
そして、前記内装フレーム体３５によって形成されなかった内装部（すなわち、前記中
間壁パネル部材１１、前記中間天井パネル部材１２、及び前記中間床パネル部材１３を設
置する部分）は、並行作業によって構築することも可能であるため、更なる工期の短縮化
に繋がる。
【０１１４】
さらに、これらの中間壁パネル部材１１、中間天井パネル部材１２、及び中間床パネル
部材１３を設置する際には、自立した内装フレーム体３５によって位置決めが出来るので
構築が簡単である。
【０１１５】
また、これらの中間壁パネル部材１１、中間天井パネル部材１２、及び中間床パネル部
材１３の材質を、適宜、変更することによって、容易に内装表面の外観を変更することが
できる。そして、これらの中間に配置する部材を取り替えるだけで、容易に内装の模様替
えをすることもできる。
【０１１６】
さらに、前記中間壁パネル部材１１、前記中間天井パネル部材１２、及び前記中間床パ
ネル部材１３は、直接、躯体５に取り付けないため、材質の選択肢が多くなり、様々な材
質の内装を形成することができる。例えば、内照式の光壁や光天井を容易に形成すること
ができる。また、強度の高い部材を使用することで手摺などを取り付けることもできる。
【０１１７】
また、前記壁際床パネル部材６上に取り付けた床側レール部材９に沿って前記コーナー
部壁パネル部材７を設置すればよいので、平面位置を確認しなくとも垂直精度を確保する
だけでよく、前記コーナー部壁パネル部材７及び前記中間壁パネル部材１１を設置する毎
に、下げ振りやレーザー墨出器等を使用して位置決め測定を行なう必要がなくなる。
【０１１８】
そして、前記壁際天井パネル部材８を先行して配置することによって、前記内装フレー
ム体３５の剛性を高めることができる。また、前記中間天井パネル部材１２の施工時期の
制約は少なくなるので、施工効率が向上する。
【０１１９】
さらに、前記コーナー部壁パネル部材７は自立させることができるので、作業中に支え
る必要がなくなり、最少人員として例えば一人でも前記内装フレーム体３５及びその他の
内装部を構築することができる。
【０１２０】
また、前記中間壁パネル部材１１、前記中間天井パネル部材１２、及び前記中間床パネ
ル部材１３に、決められた一定寸法の規格部材を使用することができるので、前記内装フ
レーム体３５を構築した後の内装構築作業を標準化することができ、施工性が向上する。
【０１２１】
特に、前記天井側レール部材１０と前記床側レール部材９の間隔が一定で、規定の高さ
の前記中間壁パネル部材１１を使用するため、前記中間壁パネル部材１１を前記天井側レ
ール部材１０に沿ってスライドして配置でき、取り付けが簡単である。
【０１２２】
そして、部分的に汚れ、劣化、又は破損が生じた場合に、その部分だけ規格部材で容易
に交換することができる。また、一部の材質を変えて外観に変化をもたせることも容易に
行なえる。
【０１２３】
さらに、部材の標準化によって、設計図書の標準化、部材の製造コストの削減、見積も
り精度の向上を図ることができる。
【実施例１】
【０１２４】
以下、前記した実施の形態の実施例１について説明する。なお、前記実施の形態で説明
した内容と同一乃至均等な部分の説明については同一符号を付して説明する。
【０１２５】
実施例１では、図５に示すように、躯体５の躯体柱５ｄが室内空間４側に突出して出隅
部を形成している場合について説明する。
【０１２６】
この実施例１では、前記躯体柱５ｄの内側面側には、その躯体柱５ｄの二側面の外形に
合わせて成形した柱部壁パネル部材２１を設置する。
【０１２７】
さらに、この実施例１では、前記平面視略ロ字型の壁際床パネル部材６から前記躯体柱
５ｄ部分を切り欠いた壁際床パネル部材６１を使用する。なお、図５では、前記壁際床パ
ネル部材６１を構成するパネル部材６ａの境界線は省略されている。
【０１２８】
そして、前記壁際床パネル部材６１と、その前記壁際床パネル部材６１の外周縁に沿っ
て配置する前記床側レール部材９，・・・と、三隅に配置する前記コーナー部壁パネル部
材７，７，７と、前記躯体柱５ｄの内側面側に配置する柱部壁パネル部材２１と、前記コ
ーナー部壁パネル部材７，７間及び前記コーナー部壁パネル部材７と前記柱部壁パネル部
材２１間とを連結する天井側レール部材１０，１０，１０，１０と、によって内装フレー
ム体３６を構築する。
【０１２９】
また、この実施例１では、前記実施の形態で使用した前記壁際天井パネル部材８を使用
せずに内装フレーム体３６を構築しているので、前記中間天井パネル部材１２と同様の施
工要領で、天井パネル部材２０を前記天井側レール部材１０，１０間に架け渡して設置す
る。
【０１３０】
このように、予め躯体柱５ｄの外形に合わせて前記柱部壁パネル部材２１及び前記壁際
床パネル部材６１を成形しておけば、現場で前記躯体柱５ｄの寸法を測定して部材を切断
加工する必要が無く、現場での構築作業を効率よくおこなうことができる。
【０１３１】
なお、他の構成及び作用効果については、前記実施の形態と略同様であるので説明を省
略する。
【実施例２】
【０１３２】
以下、前記した実施の形態の実施例２について説明する。なお、前記実施の形態で説明
した内容と同一乃至均等な部分の説明については同一符号を付して説明する。
【０１３３】
実施例２では、図６に示すように、躯体５の躯体梁５ｅが室内空間４側に突出している
場合について説明する。
【０１３４】
この実施例２では、前記躯体梁５ｅの内側面側には、その躯体梁５ｅの外形に合わせて
成形した梁部天井パネル部材２３を設置する。
【０１３５】
この梁部天井パネル部材２３は、壁際に沿って平面視略コ字型に形成される部分と、躯
体梁５ｅの側面及び底面に沿って立断面略Ｌ字型に形成される部分とを有する。各部分は
、複数の矩形のパネル部材（図６において境界線は省略）を組み合わせて形成する。
【０１３６】
さらに、この実施例２では、平面視略Ｌ字型のコーナー部壁パネル部材７から前記躯体
梁５ｅ部分を切り欠いた梁部壁パネル部材２２を使用する。
【０１３７】
そして、前記壁際床パネル部材６と、その壁際床パネル部材６の外周縁に沿って配置す
る前記床側レール部材９，・・・と、二隅に配置する前記コーナー部壁パネル部材７，７
と、前記躯体梁５ｅの両端下方に配置する梁部壁パネル部材２２，２２と、前記コーナー
部壁パネル部材７，７間、前記コーナー部壁パネル部材７と前記梁部壁パネル部材２２間
、及び前記梁部壁パネル部材２２，２２間とを連結する天井側レール部材１０，１０，１
０，１０と、前記梁部天井パネル部材２３と、によって内装フレーム体３７を構築する。
【０１３８】
このように、予め躯体梁５ｅの外形に合わせて前記梁部天井パネル部材２３及び前記梁
部壁パネル部材２２を成形しておけば、現場で前記躯体梁５ｅの寸法を測定して部材を切
断加工する必要が無く、現場での構築作業を効率よくおこなうことができる。
【０１３９】
なお、他の構成及び作用効果については、前記実施の形態と略同様であるので説明を省
略する。
【実施例３】
【０１４０】
以下、前記した実施の形態の実施例３について説明する。なお、前記実施の形態で説明
した内容と同一乃至均等な部分の説明については同一符号を付して説明する。
【０１４１】
前記実施の形態では、前記コーナー部壁パネル部材７，７間に配置する部材を、すべて
同じ前記中間壁パネル部材１１，・・・としたが、この実施例３では開口部を設けた開口
壁パネル部材を使用する例について説明する。
【０１４２】
図７には、開口壁パネル部材として窓付き壁パネル部材２４と、入口付き壁パネル部材
２５とを示した。
【０１４３】
この窓付き壁パネル部材２４は、所望する窓の大きさよりも幅の広いパネル部材の中央
部付近に、所定の大きさの開口部を窓枠として形成するものである。
【０１４４】
また、前記入口付き壁パネル部材２５は、所望する入口の大きさよりも幅の広いパネル
部材の下端部が開口されるように、門形にパネル部材を形成するものである。
【０１４５】
これらの窓付き壁パネル部材２４及び入口付き壁パネル部材２５は、前記した中間壁パ
ネル部材１１の設置作業の際に、所定の位置に配置されるようにして取り付ければよい。
【０１４６】
このため、窓付き壁パネル部材２４や入口付き壁パネル部材２５を設置するだけで、窓
枠や入口などを設けることができる。この窓枠や入口には、ガラス、サッシ又は扉などを
取り付けることができる。
【０１４７】
なお、他の構成及び作用効果については、前記実施の形態と略同様であるので説明を省
略する。
【実施例４】
【０１４８】
以下、前記した実施の形態の実施例４について説明する。なお、前記実施の形態で説明
した内容と同一乃至均等な部分の説明については同一符号を付して説明する。
【０１４９】
実施例４では、図８に示すように、平面視略Ｌ字型の壁際床パネル部材３９を使用し、
その壁際床パネル部材３９の端部間をＬ字型に配置した位置決めレール部材４５，４５に
よって連結する。
【０１５０】
この実施例４では、前記壁際床パネル部材３９上に載置しない位置決めレール部材４５
，４５は、躯体壁５ｂ内側面に水平に固定する。
【０１５１】
この位置決めレール部材４５，・・・は、断面が略Ｕ字型の長尺部材として、アルミ合
金、亜鉛メッキ鋼板等の金属製材料などを加工して製作される。また、前記位置決めレー
ル部材４５上には、前記コーナー部壁パネル部材７及び前記天井側レール部材１０などが
載置されるため、これらの上載荷重を支持できる構成及び前記躯体壁５ｂへの固定手段を
選択する。
【０１５２】
そして、その位置決めレール部材４５，４５を固定した躯体壁５ｂと対面する側の躯体
壁５ｂ近傍の躯体床５ａ上には、支持脚部材１４，・・・及び際根太１５，・・・を介し
て前記壁際床パネル部材３９を載置する。なお、図８では境界線を省略しているが、前記
壁際床パネル部材３９は複数のパネル部材を組み合わせて形成されている。
【０１５３】
さらに、前記壁際床パネル部材３９の平面視略Ｌ字型の外周縁上には床側レール部材９
，９を固定する。
【０１５４】
そして、前記位置決めレール部材４５，４５及び床側レール部材９，９上に、間隔を置
いて前記コーナー部壁パネル部材７，７と、矩形の平板壁パネル部材４０，４０とを載置
する。
【０１５５】
さらに、前記コーナー部壁パネル部材７，７間、前記平板壁パネル部材４０と前記コー
ナー部壁パネル部材７の間に、天井側レール部材１０を架け渡す。また、前記平板壁パネ
ル部材４０，４０間を天井側レール部材１０で連結する。
【０１５６】
そして、前記壁際床パネル部材３９と対面する前記天井側レール部材１０，１０上に、
平面視略Ｌ字型の前記壁際天井パネル部材４１を固定して、内装フレーム体３８を完成さ
せる。なお、図８では境界線を省略しているが、前記壁際天井パネル部材４１は複数のパ
ネル部材を組み合わせて形成されている。
【０１５７】
このように、閉構造となっていない前記壁際床パネル部材３９と前記壁際天井パネル部
材４１の端部間を、位置決めレール部材４５，４５と天井側レール部材１０，１０によっ
て連結するため、前記内装フレーム体３８の剛性を高めることができる。
【０１５８】
また、前記した躯体壁５ｂに固定する位置決めレール部材４５の近傍には、前記内装フ
レーム体３８の構築の際には内装床が形成されないため、配管工事等が完了していなくと
も作業を進めることができ、工期の短縮化が図れる。
【０１５９】
なお、他の構成及び作用効果については、前記実施の形態と略同様であるので説明を省
略する。
【実施例５】
【０１６０】
以下、前記した実施の形態の実施例５について説明する。なお、前記実施の形態で説明
した内容と同一乃至均等な部分の説明については同一符号を付して説明する。
【０１６１】
実施例５では、略六面体状の様々な形状をした内装フレーム体ユニット２６，２７，２
８，２９，３０を組み合わせて内装部を構築する例について説明する。
【０１６２】
基本ユニットとなる内装フレーム体ユニット２６，２７，２８，２９，３０の一覧表を
図９に示す。
【０１６３】
内装フレーム体ユニット２６は、平面視略ロ字型の壁際床パネル部材２６ａと壁際天井
パネル部材２６ｃを組み合わせて形成したユニットである。そして、コーナー部壁パネル
部材２６ｂとして、平面視略Ｌ字型の部材を１枚、平板状の部材を３枚使用したユニット
を内装フレーム体ユニット２６Ａとし、平面視略Ｌ字型の部材が一枚ずつ増える毎（平板
状の部材が一枚ずつ減る毎）に、内装フレーム体ユニット２６Ｂ、２６Ｃ、２６Ｄとした
。
【０１６４】
また、内装フレーム体ユニット２７は、平面視略コ字型の壁際床パネル部材２７ａと壁
際天井パネル部材２７ｃとを組み合わせて形成したユニットである。そして、前記壁際床
パネル部材２７ａと前記壁際天井パネル部材２７ｃの端部間は、前記位置決めレール部材
４５と前記天井側レール部材１０とによって連結される。
【０１６５】
なお、コーナー部壁パネル部材２７ｂとして使用する平面視略Ｌ字型の部材の枚数によ
って、内装フレーム体ユニット２７Ａ、２７Ｂ、２７Ｃ、２７Ｄとしたのは前記内装フレ
ーム体ユニット２６と同様である。
【０１６６】
そして、内装フレーム体ユニット２８は、平面視略Ｌ字型の壁際床パネル部材２８ａと
壁際天井パネル部材２８ｃとを組み合わせて形成したユニットである。そして、前記壁際
床パネル部材２８ａと前記壁際天井パネル部材２８ｃの端部間は、平面視略Ｌ字型に配置
した前記位置決めレール部材４５と前記天井側レール部材１０とによって連結される。
【０１６７】
なお、コーナー部壁パネル部材２８ｂとして使用する平面視略Ｌ字型の部材の枚数によ
って、内装フレーム体ユニット２８Ａ、２８Ｂ、２８Ｃ、２８Ｄとしたのは前記内装フレ
ーム体ユニット２６と同様である。
【０１６８】
さらに、内装フレーム体ユニット２９は、平面視略Ｉ字型のパネル部材が間隔を置いて
平行に並べられて形成された、平面視略ニ字型の壁際床パネル部材２９ａと壁際天井パネ
ル部材２９ｃとを組み合わせて形成したユニットである。そして、前記壁際床パネル部材
２９ａと前記壁際天井パネル部材２９ｃの端部間は、平面視略ニ字型に配置した前記位置
決めレール部材４５と前記天井側レール部材１０とによって連結される。
【０１６９】
なお、コーナー部壁パネル部材２９ｂとして使用する平面視略Ｌ字型の部材の枚数によ
って、内装フレーム体ユニット２９Ａ、２９Ｂ、２９Ｃ、２９Ｄとしたのは前記内装フレ
ーム体ユニット２６と同様である。
【０１７０】
最下行の内装フレーム体ユニット３０は、平面視略Ｉ字型の壁際床パネル部材３０ａと
壁際天井パネル部材３０ｃとを組み合わせて形成したユニットである。そして、前記壁際
床パネル部材３０ａと前記壁際天井パネル部材３０ｃの端部間は、平面視略ニ字型に配置
した前記位置決めレール部材４５と前記天井側レール部材１０とによって連結される。
【０１７１】
なお、コーナー部壁パネル部材３０ｂとして使用する平面視略Ｌ字型の部材の枚数によ
って、内装フレーム体ユニット３０Ａ、３０Ｂ、３０Ｃ、３０Ｄとしたのは前記内装フレ
ーム体ユニット２６と同様である。
【０１７２】
次に、平面視長方形の室内空間４に、複数の内装フレーム体ユニット２６，２７，２８
，２９，３０を並べた斜視図を、図１０に示す。
【０１７３】
この実施例５では、室内空間４を６区画の領域に分け、それぞれの領域に内装フレーム
体ユニット２８Ｂ，３０Ａ，２８Ａ，２６Ａ，２９Ａ，２７Ａを配置する。
【０１７４】
そして、それぞれの内装フレーム体ユニット２８Ｂ，３０Ａ，２８Ａ，２６Ａ，２９Ａ
，２７Ａに、前記中間壁パネル部材１１，・・・、前記中間天井パネル部材１２，・・・
及び前記中間床パネル部材１３，・・・を配置して内装部を構築する。
【０１７５】
このように、ユニット化した内装フレーム体ユニット２６，２７，２８，２９，３０を
並べるだけで、様々な大きさ及び形状の室内空間４に内装を容易に構築することができる
。
【０１７６】
なお、他の構成及び作用効果については、前記実施の形態と略同様であるので説明を省
略する。
【実施例６】
【０１７７】
以下、前記した実施の形態の実施例６について説明する。なお、前記実施の形態で説明
した内容と同一乃至均等な部分の説明については同一符号を付して説明する。
【０１７８】
実施例６では、少なくとも一方向側面が開放された様々な形状をした内装フレーム体ユ
ニットとしての内装フレーム体パーツ３１，３２，３３，３４を組み合わせて内装部を構
築する例について説明する。
【０１７９】
基本パーツとなる内装フレーム体パーツ３１，３２，３３，３４の一覧表を図１１に示
す。
【０１８０】
内装フレーム体パーツ３１は、平面視略コ字型の壁際床パネル部材３１ａと壁際天井パ
ネル部材３１ｃとを組み合わせて形成した、内装部の一部を構成する部品である。
【０１８１】
そして、コーナー部壁パネル部材３１ｂとして、平面視略Ｌ字型の部材を１枚、平板状
の部材を３枚使用したパーツを内装フレーム体パーツ３１Ａとし、平面視略Ｌ字型の部材
が一枚ずつ増える毎（平板状の部材が一枚ずつ減る毎）に、内装フレーム体パーツ３１Ｂ
、３１Ｃ、３１Ｄとした。
【０１８２】
また、内装フレーム体パーツ３２は、平面視略Ｌ字型の壁際床パネル部材３２ａと壁際
天井パネル部材３２ｃとを組み合わせて形成したパーツである。
【０１８３】
なお、コーナー部壁パネル部材３２ｂとして使用する平面視略Ｌ字型の部材の枚数によ
って、内装フレーム体パーツ３２Ａ、３２Ｂ、３２Ｃとしたのは前記内装フレーム体パー
ツ３１と同様である。
【０１８４】
さらに、内装フレーム体パーツ３３は、平面視略Ｉ字型のパネル部材が間隔を置いて平
行に並べられて形成された、平面視略ニ字型の壁際床パネル部材３３ａと壁際天井パネル
部材３３ｃとを組み合わせて形成したパーツである。
【０１８５】
そして、前記壁際床パネル部材３３ａと前記壁際天井パネル部材３３ｃの一方の端部間
が前記位置決めレール部材４５と前記天井側レール部材１０とによって連結される。
【０１８６】
なお、コーナー部壁パネル部材３３ｂとして使用する平面視略Ｌ字型の部材の枚数によ
って、内装フレーム体パーツ３３Ａ、３３Ｂとしたのは前記内装フレーム体パーツ３１と
同様である。
【０１８７】
最下行の内装フレーム体パーツ３４（３４Ａ）は、平面視略Ｉ字型の壁際床パネル部材
３４ａと壁際天井パネル部材３４ｃとを組み合わせて形成したパーツである。
【０１８８】
次に、前記した内装フレーム体パーツ３１，３２，３３，３４を組み合わせて、比較的
大きな内装部が間仕切り壁を設けることなく構築された斜視図を図１２に示す。
【０１８９】
図１２には、３つの室内空間４Ａ，４Ｂ，４Ｃに構築した３つの内装フレーム体４２，
４３，４４が示されている。ここで、各室内空間４Ａ，４Ｂ，４Ｃは躯体壁５ｂ，５ｂに
よって仕切られている。
【０１９０】
室内空間４Ａに構築する内装フレーム体４２は、前記内装フレーム体パーツ３４Ａ，３
２Ａ，３２Ａ，３４Ａを端部が繋がるように並べて、当接部を接合することによって構築
する。
【０１９１】
また、室内空間４Ｂに構築する内装フレーム体４３も、前記内装フレーム体パーツ３４
Ａ，３２Ａ，３２Ａ，３４Ａを端部が繋がるように並べて、当接部を接合することによっ
て構築する。
【０１９２】
さらに、室内空間４Ｃに構築する内装フレーム体４４は、前記内装フレーム体パーツ３
１Ａ，３１Ｂをコ字が向き合うように並べて、当接部を接合することによって構築する。
【０１９３】
そして、それぞれの内装フレーム体４２，４３，４４に、前記中間壁パネル部材１１，
・・・、前記中間天井パネル部材１２，・・・及び前記中間床パネル部材１３，・・・を
配置して内装部を構築する。
【０１９４】
このため、個別の前記内装フレーム体パーツ３１，３２，３３，３４の大きさ又は形状
に限定されること無く、室内空間４の形状に合わせた大きな内装部を形成することができ
る。
【０１９５】
また、内装枠部分を部品化することができ、室内空間４の形状に合わせた部品の組み合
わせによって内装部を容易に構築することができる。
【０１９６】
さらに、部品化することで現地での作業を削減できるので、短期間で内装部を構築する
ことができる。
【０１９７】
なお、他の構成及び作用効果については、前記実施の形態と略同様であるので説明を省
略する。
【０１９８】
以上、図面を参照して、本発明の最良の実施の形態を詳述してきたが、具体的な構成は
、この実施の形態に限らず、本発明の要旨を逸脱しない程度の設計的変更は、本発明に含
まれる。
【０１９９】
例えば、前記実施の形態及び実施例では、下地構築物として主にコンクリートによって
構築した躯体５を例に説明したが、リフォーム前の内装材を下地構築物とすることもでき
る。
【０２００】
また、前記した実施の形態及び実施例では、床側レール部材９又は位置決めレール部材
４５として断面略Ｕ字型の溝を有する部材を使用したが、このような形状に限定されるも
のではなく、前記壁パネル部材７，４０を固定または載置できるものであれば、例えば長
尺状の角材であってもよい。
【０２０１】
そして、図８に示したように壁パネル部材として使用する前記した矩形の平板壁パネル
部材４０は、内装フレーム体３８の隅部に配置しなくともよい。例えば、隅部よりも隣の
隅部に配置したコーナー部壁パネル部材７側に寄った位置に配置し、前記位置決めレール
部材４５，４５及び前記天井側レール部材１０，１０の交差部が露出するようにしてもよ
い。
【０２０２】
さらに、実施例４では、前記室内空間４の平面視四角形の二辺の前記位置決めレール部
材４５，４５を前記躯体壁５ｂに固定し、残りの二辺の前記床側レール部材９，９を前記
壁際床パネル部材３９上に載置したが、前記壁際床パネル部材３９を使用せずに、四辺の
すべてを前記躯体壁５ｂに固定される位置決めレール部材４５，４５，４５，４５にして
内装フレーム体を形成することができる。
【０２０３】
また、前記コーナー部壁パネル部材７と前記壁際床パネル部材６を、前記床側レール部
材９を介することなく、直接、接合することもできる。
【０２０４】
そして、前記した実施の形態において使用した壁際天井パネル部材８を使用せずに内装
フレーム体を形成し、実施例１で示した前記天井パネル部材２０を直接、前記天井側レー
ル部材１０に載置して支持させてもよい。
【０２０５】
さらに、実施例５及び実施例６では、予め組み立てられた前記内装フレーム体ユニット
２６，２７，２８，２９，３０や前記内装フレーム体パーツ３１，３２，３３，３４を使
用した実施例について説明したが、これらのユニットやパーツは設置箇所で組み立てて使
用することもできる。
【０２０６】
また、前記壁際床パネル部材６、前記床側レール部材９、前記位置決めレール部材４５
、前記コーナー部壁パネル部材７、前記天井側レール部材１０、前記壁際天井パネル部材
８、及び前記中間パネル部材１１間の固定手段は、固定ネジ１６に限定されるものではな
く、ピンや接着剤などであってもよい。さらに、前記中間パネル部材１１を、前記床側レ
ール部材９若しくは位置決めレール部材４５と前記天井側レール部材１０の間に嵌め込む
だけで固定できる場合は、別段、固定手段を使用しなくともよい。
【図面の簡単な説明】
【０２０７】
【図１】本発明の最良の実施の形態の内装構築方法によって形成する内装フレーム体を示した斜視図である。
【図２】本発明の最良の実施の形態の内装構築方法によって構築した内装部を示した一部切断斜視図である。
【図３】図２のＡ−Ａ線に沿った位置に相当する部分で躯体等を加えた断面図である。
【図４】本発明の最良の実施の形態の内装構築方法の施工手順を示した斜視図である。
【図５】実施例１の躯体柱が突出した室内空間に形成した内装フレーム体の斜視図である。
【図６】実施例２の躯体梁が突出した室内空間に形成した内装フレーム体の斜視図である。
【図７】実施例３の開口壁パネル部材を使用した内装部の斜視図である。
【図８】実施例４の壁際床パネル部材及び壁際天井パネル部材の端部間を連結した内装フレーム体の斜視図である。
【図９】実施例５の内装フレーム体ユニットの一覧表を示した説明図である。
【図１０】実施例５の内装フレーム体ユニットを組み合わせて形成した内装部の斜視図である。
【図１１】実施例６の内装フレーム体パーツの一覧表を示した説明図である。
【図１２】実施例６の内装フレーム体パーツを組み合わせて形成した内装部の斜視図である。
【図１３】従来例のパネル部材を使用して構築する内装部の展開斜視図である。
【符号の説明】
【０２０８】
４              室内空間（下地構築物の内部）
５              躯体（下地構築物）
６              壁際床パネル部材（略ロ字型）
７              コーナー部壁パネル部材（壁パネル部材）
８              壁際天井パネル部材（天井パネル部材）
９              床側レール部材
１０            天井側レール部材
１１            中間壁パネル部材
１２            中間天井パネル部材（天井パネル部材）
１３            中間床パネル部材
２０            天井パネル部材
２１            柱部壁パネル部材（壁パネル部材）
２３            梁部天井パネル部材（壁際天井パネル部材）
２４            窓付き壁パネル部材（開口壁パネル部材）
２５            入口付き壁パネル部材（開口壁パネル部材）
２６，２７，２８，２９，３０    内装フレーム体ユニット
３１，３２，３３，３４          内装フレーム体パーツ
３５，３６，３７，３８          内装フレーム体
３９            壁際床パネル部材（略Ｌ字型）
４５            位置決めレール部材
【図１】
2006016897.tif 000003
【図２】
2006016897.tif 000004
【図３】
2006016897.tif 000005
【図４】
2006016897.tif 000006
【図５】
2006016897.tif 000007
【図６】
2006016897.tif 000008
【図７】
2006016897.tif 000009
【図８】
2006016897.tif 000010
【図９】
2006016897.tif 000011
【図１０】
2006016897.tif 000012
【図１１】
2006016897.tif 000013
【図１２】
2006016897.tif 000014
【図１３】
2006016897.tif 000015